(57)【要約】【課題】赤外吸収スペクトルの測定により、アイオノマー樹脂の中和度を求める方法であって、赤外吸収スペクトルのばらつきが小さく、アイオノマー樹脂の中和度の正確な測定を可能にする方法を提供する。【解決手段】アイオノマー樹脂の試料の赤外吸収スペクトルを測定し、その１７００ｃｍ−１のピーク高さＡ及び２９１５ｃｍ−１のピーク高さＢを求めると共に、前記アイオノマー樹脂の試料を、アルコールを含有する塩酸と接触させて、前記アイオノマー樹脂中の金属イオンを除去した後に赤外吸収スペクトルを測定し、その１７００ｃｍ−１のピーク高さＣ及び２９１５ｃｍ−１のピーク高さＤを求め、式：１００−１００×（Ａ／Ｂ）／（Ｃ／Ｄ）による計算値を中和度（％）とすることを特徴とする、アイオノマー樹脂の中和度測定方法。【選択図】  なし【特許請求の範囲】
【請求項１】
アイオノマー樹脂の試料の赤外吸収スペクトルを測定し、その１７００ｃｍ−１のピーク高さＡ及び２９１５ｃｍ−１のピーク高さＢを求めると共に、
前記アイオノマー樹脂の試料を、アルコールを含有する塩酸と接触させて、前記アイオノマー樹脂中の金属イオンを除去した後に赤外吸収スペクトルを測定し、その１７００ｃｍ−１のピーク高さＣ及び２９１５ｃｍ−１のピーク高さＤを求め、
式：１００−１００×（Ａ／Ｂ）／（Ｃ／Ｄ）による計算値を中和度（％）とすることを特徴とする、アイオノマー樹脂の中和度測定方法。
【請求項２】
アルコールが炭素数４以下の低級アルコールであることを特徴とする請求項１に記載のアイオノマー樹脂の中和度測定方法。
【発明の詳細な説明】
【技術分野】
【０００１】
本発明は、エチレン等と不飽和カルボン酸との共重合体を、ナトリウムや亜鉛等の金属イオンにより分子間架橋してなるアイオノマー樹脂の中和度測定方法に関する。
【背景技術】
【０００２】
エチレン等と、アクリル酸やメタクリル酸等の不飽和カルボン酸との共重合体に、ナトリウム（Ｎａ）や亜鉛（Ｚｎ）等の金属イオンを作用させて分子間架橋してなるアイオノマー樹脂は、強度と溶融加工性の両立が可能なポリマーとして知られており、包装材料、ゴルフボール、自動車部品、靴材料、工具、建材、電線等の成形品材料として使用されている。
【０００３】
一般に、共有結合で架橋したポリマーは、熱可塑性プラスチックとしての成形が不可能である。しかし、イオン結合による分子間架橋は加熱すると剪断力で切れるので、アイオノマー樹脂は、加熱により流動性を示す。その結果、通常の熱可塑性プラスチックと同様な成形が可能となる。一方、常温に冷却すると再び元の分子間架橋を生じ、架橋された樹脂としての優れた特性が得られる。
【０００４】
アイオノマー樹脂では、不飽和カルボン酸に由来するカルボキシル基間が、当該カルボキシル基にイオン結合した金属イオンにより架橋される。そして、アイオノマー樹脂の特性、すなわち、耐摩耗性、高反撥弾性、透明性や接着性等は、金属イオンと結合したカルボキシル基の割合、すなわち中和度により大きく影響されることが知られている。従って、中和度は、アイオノマー樹脂の材料特性を評価する上で不可欠なパラメーターであり、中和度の測定が、材料としての受け入れ検査や製品としての品質管理において行われている。
【０００５】
アイオノマー樹脂の中和度を測定する方法としては、アイオノマー樹脂の赤外吸収スペクトル測定による方法が、特許文献１等に開示されており、中和度を迅速、簡易に測定できる方法として知られている。この方法は、赤外吸収スペクトルにおける、Ｃ＝Ｏ伸縮に相当する１７００ｃｍ−１の吸収は、カルボキシル基のイオン化（金属イオンとのイオン結合）の割合に応じて減少することを利用したものであり、具体的には、以下に示す手順で行われる。
【０００６】
アイオノマー樹脂の試料の赤外吸収スペクトルの測定を行い、１７００ｃｍ−１の吸収のピーク高さを求める（ピーク高さをａとする。）。又、アイオノマー樹脂の試料を、塩酸と接触させてアイオノマー樹脂中の金属イオンを除去し（脱メタル化）、イオン結合（分子内架橋）がされていない酸共重合体を得る。この酸共重合体の試料の赤外吸収スペクトルの測定を行い、１７００ｃｍ−１の吸収のピーク高さを求める（ピーク高さをｂとする。）。
【０００７】
ピーク高さをａは、アイオノマー樹脂中のイオン結合がされていないカルボキシル基の数に対応し、ピーク高さをｂは、アイオノマー樹脂中の全てのカルボキシル基の数に対応するので、下記の式により、中和度（％）を得ることができる。
中和度（％）＝１００−１００×ａ／ｂ
【特許文献１】特開２０００−６３５９３号公報
【発明の開示】
【発明が解決しようとする課題】
【０００８】
しかし、特許文献１等に開示されている方法では、赤外吸収スペクトルのばらつきが大きく、正確なデータが得られないとの問題があった。例えば、図２は、特許文献１に開示されている方法に準じて行われた比較例で得られたアイオノマー樹脂の脱メタル後の赤外吸収スペクトルであり、３回行った測定のそれぞれのスペクトルを示すが、スペクトル間に、大きなばらつきがあることが確認できる。
【０００９】
本発明は、赤外吸収スペクトルの測定により、アイオノマー樹脂の中和度を求める方法であって、赤外吸収スペクトルのばらつきが小さく、アイオノマー樹脂の中和度の正確な測定を可能にする方法を提供することを課題とする。
【課題を解決するための手段】
【００１０】
本発明者は、前記課題を解決するため鋭意検討した結果、前記の特許文献１等に開示されている方法において、塩酸に換えて、アルコールを含有する塩酸（アルコール性塩酸）を用いることにより、赤外吸収スペクトルのばらつきが小さくなり、アイオノマー樹脂の中和度の正確な測定が可能となることを見出し、本発明を完成するに至った。
【００１１】
即ち、本発明は、アイオノマー樹脂の試料の赤外吸収スペクトルを測定し、その１７００ｃｍ−１のピーク高さＡ及び２９１５ｃｍ−１のピーク高さＢを求めると共に、
前記アイオノマー樹脂の試料を、アルコールを含有する塩酸と接触させて、前記アイオノマー樹脂中の金属イオンを除去した後に赤外吸収スペクトルを測定し、その１７００ｃｍ−１のピーク高さＣ及び２９１５ｃｍ−１のピーク高さＤを求め、
式：１００−１００×（Ａ／Ｂ）／（Ｃ／Ｄ）による計算値を中和度（％）とすることを特徴とする、アイオノマー樹脂の中和度測定方法を提供するものである（請求項１）。
【００１２】
本発明の中和度測定方法の対象となるアイオノマー樹脂とは、前記のように、エチレン等と、アクリル酸やメタクリル酸等の不飽和カルボン酸との共重合体に、ＮａやＺｎ等の金属イオンを作用させて分子間架橋してなる樹脂であるが、このようなエチレン系アイオノマーの他に、ウレタン系、スチレン系やフッ素系高分子を使用したアイオノマー樹脂も本発明の中和度測定方法の対象となる。又、金属イオンとしては、ＮａやＺｎ以外にもマグネシウム、カルシウム等を挙げることができる。
【００１３】
本発明の中和度測定方法では、試料となるアイオノマー樹脂の赤外吸収スペクトルを測定し、その１７００ｃｍ−１のピーク高さＡ及び２９１５ｃｍ−１のピーク高さＢを求める。ここで、２９１５ｃｍ−１の吸収はＣＨ２伸縮による吸収である。赤外吸収スペクトル測定をＡＴＲ法で実施する場合、試料の形状や測定時のＡＴＲ結晶の接触圧等が誤差要因となる可能性があるが、Ａ／Ｂを求めて１７００ｃｍ−１の吸収の値Ａを規格化することにより、これらの誤差要因の影響を除去することができる。
【００１４】
さらに、前記の赤外吸収スペクトルの測定とともに、アイオノマー樹脂の試料を、アルコール性塩酸と接触させて、前記アイオノマー樹脂中の金属イオンを除去した後に赤外吸収スペクトルを測定し、その１７００ｃｍ−１のピーク高さＣ及び２９１５ｃｍ−１のピーク高さＤを求める。
【００１５】
アイオノマー樹脂の試料とアルコール性塩酸と接触は、試料をアルコール性塩酸中に分散し、一定時間、共に振り混ぜる又は撹拌して行うことができる。接触時間は、アイオノマー樹脂中の金属イオンの除去が充分行われるために必要な時間であるが、金属イオンの除去は迅速に行われるので、通常、５〜１０分程度である。
【００１６】
そして、前記と同様に、Ｃ／Ｄを求めることにより、１７００ｃｍ−１の吸収の値Ｃを規格化する。このようにして求めた、Ａ、Ｂ、Ｃ及びＤの値に基づき、式：１００−１００×（Ａ／Ｂ）／（Ｃ／Ｄ）により中和度（％）を求めることができる。
【００１７】
本発明は、アイオノマー樹脂を脱メタル処理するために、アルコール性塩酸を用いることを特徴とする。前記の従来の方法においては、アイオノマー樹脂を脱メタル処理するために、アルコールを含有しない一般的な塩酸が用いられていた。しかし、一般的な塩酸では、樹脂との親和性が悪く、塩酸が樹脂の内部まで浸透しにくいため、完全に脱メタル化できず、そのため測定値にばらつきが生じたと考えられる。
【００１８】
一方、本発明においては、脱メタル処理にアルコール性塩酸を用いている。アルコール性塩酸は、一般的な塩酸より樹脂との親和性が良く、樹脂の内部まで塩酸が浸透し易いと考えられる。その結果、迅速、確実に脱メタル処理が行われるようになり、測定値のばらつきがなくなり、高精度かつ迅速な測定が達成された。
【００１９】
アルコールとしては、エタノールや２−プロパノール等の炭素数４以下のアルコール、すなわち低級アルコールを用いることが好ましい（請求項２）。低級アルコールを用いることにより、樹脂との親和性がより改善され、脱メタル処理がより確実に行われるようになる。
【００２０】
塩酸中のアルコールの含有量は、特に限定されないが、アルコールの含有割合が大きい程、アイオノマー樹脂と塩酸との親和性が向上する。一方、アルコールの含有割合が大きすぎると、塩酸が相溶しにくくなると考えられるので、これらを考慮することが好ましい。
【００２１】
脱メタル処理にアルコール性塩酸を用いる点以外は、本発明の測定方法は、特許文献１に記載されているような、アイオノマー樹脂の赤外吸収スペクトルを利用した従来の測定方法と同様な条件で行われる。例えば、アルコール性塩酸の塩酸濃度としては、０．１Ｎ程度が好ましい。塩酸濃度が高すぎる場合は、樹脂が酸化して正確な測定値が得られない場合があるので、高濃度の塩酸による脱メタル処理は好ましくない。
【００２２】
アイオノマー樹脂の脱メタル処理は、塩酸以外の強酸によっても可能であるが、例えば、硫酸のみからなる強酸を用いた場合には、硫酸の脱水作用により樹脂が炭化されてしまう問題があり、また硝酸のみからなる強酸を用いた場合には、樹脂が硝酸の酸化作用を受ける問題があり、硫酸や硝酸のみからなる強酸、又は硫酸や硝酸を主体とする強酸は好ましくない。
【発明の効果】
【００２３】
本発明の方法により、アイオノマー樹脂の中和度を、迅速かつ正確に測定することができる。
【発明を実施するための最良の形態】
【００２４】
次に、本発明を実施するための最良の形態について実施例を用いて説明するが、本発明の範囲は実施例の範囲に限定されるものではなく、本発明の趣旨を損なわない範囲で種々の変更をすることができる。
【実施例】
【００２５】
実施例１〜３
（アイオノマー樹脂試料の作成）
ＥＭＡＡ（エチレン−メタクリル酸共重合体、三井・デュポンケミカル社製、商品名：ニュクレルＮ０９０３ＨＣ）１００重量部と、水酸化マグネシウム５重量部、老化防止剤（チバスペシャリティケミカル社製、商品名：イルガノックス１０１０）０．５重量部を二軸混合機にて混練りして、実施例１のアイオノマー樹脂試料（Ｍｇ系アイオノマー）を作成した。又、三井・デュポンケミカル社製の商品名ハイミラン１７０６（Ｚｎ系アイオノマー）、ハイミラン１７０７（Ｎａ系アイオノマー）を、それぞれ実施例２、実施例３のアイオノマー樹脂試料とした。
【００２６】
［Ｃ／Ｄの測定］
（赤外吸収スペクトル測定用試料の作成）
前記のアイオノマー樹脂試料のそれぞれを凍結粉砕して約０．１ｇ秤量し、バイアル瓶に入れる。試料を入れたバイアル瓶に、０．１Ｎアルコール性塩酸（試薬：関東化学社製、エタノール含有）１０ｍｌを加えて、蓋をする。その後、このバイアル瓶を振とう機にセットして、室温にて１時間振り混ぜ、脱メタル処理（亜鉛イオン等の樹脂中の金属イオンの除去）を行う。その後、試料とアルコール性塩酸を濾紙で分離し、分離した試料は、純水で十分に洗浄して、酸分を完全に除去する。洗浄後の試料を、６０℃で３時間ほど真空乾燥して、赤外吸収スペクトル測定用試料を得た。
【００２７】
（赤外吸収スペクトル測定）
このようにして得られた赤外吸収スペクトル測定用試料について、Ｍａｇｎａ５６０（Ｎｉｃｏｌｅｔ社製赤外吸収スペクトル測定装置）を用いて、以下に示す条件で、赤外吸収スペクトルを測定した。
アクセサリ：１回反射ＡＴＲアクセサリ（Ｄｕｒａ  Ｓｃｏｐｅ：ＳｅｎｓＩＲ社製）
測定法    ：ＡＴＲ法
分解能    ：４ｃｍ−１
積算回数  ：１６回
【００２８】
（測定結果）
この赤外吸収スペクトル測定用試料の作成及び赤外吸収スペクトル測定を、それぞれの試料について計３回行い、各回のＣ／Ｄ（Ｃは１７００ｃｍ−１のピーク高さ、Ｄは２９１５ｃｍ−１のピーク高さ）の平均値をそれぞれの試料についてのＣ／Ｄの値とした。なお、図１は、実施例１における赤外吸収スペクトルを示す。図１では、３回の測定データを縦方向に位置をずらして表示している。
【００２９】
いずれの試料のいずれの測定についても、３回とも、１５８５ｃｍ−１のピークは見られなかった。１５８５ｃｍ−１のピークは、カルボキシルイオン：−ＣＯＯ−の吸収、即ちアイオノマーのイオン架橋形成を示すピークであり、このピークが消失したことから、いずれの場合も金属イオンが全部除去されたことが示されている。その結果Ｃ／Ｄのばらつきは殆ど無かった。
【００３０】
［Ａ／Ｂの測定］
実施例１、２及び３のアイオノマー樹脂試料について、０．１Ｎアルコール性塩酸による処理を行わない以外は、前記と同じ条件にて、赤外吸収スペクトルを測定し、Ａ／Ｂ（Ａは１７００ｃｍ−１のピーク高さ、Ｂは２９１５ｃｍ−１のピーク高さ）を求めた。
【００３１】
以上のようにして求めたＡ／Ｂ及びＣ／Ｄと、式：１００−１００×（Ａ／Ｂ）／（Ｃ／Ｄ）により中和度（％）を求めた。Ａ、Ｂ、Ａ／Ｂ、Ｃ、Ｄ、Ｃ／Ｄ及び中和度（％）の値を表１に示す。
【００３２】
【表１】
2008298601.tif 000002
【００３３】
比較例
実施例１と同じ試料を用い、０．１Ｎアルコール性塩酸の代わりに、アルコールを含有しない０．１Ｎ塩酸（試薬：関東化学社製）を用いた以外は、実施例と同条件で赤外吸収スペクトル測定用試料の作成を行い、赤外吸収スペクトルを測定した。この赤外吸収スペクトル測定用試料の作成及び赤外吸収スペクトル測定を、計３回行った。得られた赤外吸収スペクトルを図２に示す。なお、図２では、３回の測定データを縦方向に位置をずらして表示している。
【００３４】
図２より明らかなように、１５８５ｃｍ−１のピーク（図中の矢印で示す部分。アイオノマーのイオン架橋形成を示すピーク。）が消失している場合と消失していない場合があり、脱メタル後のスペクトルに大きなばらつきがある。即ち、金属イオンの除去が充分に行われない場合があり、その結果、Ｃ／Ｄの値がばらつき、正確な測定値は得られない。
【００３５】
なお、以下の表２に塩酸の液性の種類とアイオノマー樹脂との親和性（親和性良を○、親和性低を×で表す。）、及び測定の精度（○：精度高、×：精度低）の関係を示す。
【００３６】
【表２】
2008298601.tif 000003
【図面の簡単な説明】
【００３７】
【図１】実施例１で得られた赤外吸収スペクトルである。
【図２】比較例で得られた赤外吸収スペクトルである。
【図１】
2008298601.tif 000004
【図２】
2008298601.tif 000005